(57)【要約】【課題】パケットライトの読み出しに正式に対応していないＣＤプレーヤで再生できるパケットの記録方法を実現すること。【解決手段】リンクブロック１、ランインブロック３、イン側パディングデータブロック５、データブロック７、アウト側パディングデータブロック４、ランアウトブロック２を連続して記録し、一定のブロック数のイン側パディングデータブロックとアウト側パディングデータブロックにより再生機器において目的のデータが記録された位置の手前へシークしてからデータ読み出しが可能になるまでの間と、再生用バッファに蓄えられた目的のデータを読み出し終わるまでの間にリンクブロックを通過することを回避するので、リンクブロックの影響で再生ＰＬＬが外れて再生失敗になることを回避することができる。【選択図】図１
2005038554.tif 000002
【特許請求の範囲】
【請求項１】
データ領域が割り当てられたディスク状の情報媒体にパケット単位で情報を記録する方法であって、前記情報媒体に記録するパケットは複数のブロックの集合からなり、先頭からリンクブロック、ランインブロック、イン側パディングデータブロック、データブロック、アウト側パディングデータブロック、ランアウトブロックを連続して記録し、リンクブロックからその後方のデータブロックの先頭ブロックまでの間隔が一定のブロック数以上になる数だけイン側パディングデータブロックを複数ブロック記録し、データブロックの最後尾ブロックからその後方のリンクブロックまでの間隔が一定のブロック数以上になる数だけアウト側パディングデータブロックを複数ブロック記録することを特徴とする情報媒体の記録方法。
【請求項２】
前記情報媒体に記録するパケットに含まれるアウト側パディングデータブロックのサイズは０であることを特徴とする請求項１記載の情報媒体の記録方法。
【請求項３】
データ領域が割り当てられたディスク状の情報媒体にパケット単位で情報を記録する装置であって、前記情報媒体に記録するパケットは複数のブロックの集合からなり、先頭からリンクブロック、ランインブロック、イン側パディングデータブロック、データブロック、アウト側パディングデータブロック、ランアウトブロックを連続して記録し、リンクブロックからその後方のデータブロックの先頭ブロックまでの間隔が一定のブロック数以上になる数だけイン側パディングデータブロックを複数ブロック記録し、データブロックの最後尾ブロックからその後方のリンクブロックまでの間隔が一定のブロック数以上になる数だけアウト側パディングデータブロックを複数ブロック記録することを特徴とする情報記録装置。
【請求項４】
前記情報媒体に記録するパケットに含まれるアウト側パディングデータブロックのサイズは０であることを特徴とする請求項３記載の情報記録装置。
【請求項５】
請求項１または請求項２のいずれかに記載の記録方法により記録された情報媒体。
【発明の詳細な説明】
【技術分野】
【０００１】
本発明は、情報媒体の記録方法、情報記録装置、及び情報媒体に関するものである。
【背景技術】
【０００２】
従来、記録型光ディスクの一つであるＣＤ−Ｒの記録方法にはＲｅｄ  Ｂｏｏｋ（非特許文献１参照。）やＹｅｌｌｏｗ  Ｂｏｏｋ（非特許文献２参照。）の規格どおりに記録するディスク  アット  ワンスとＯｒａｎｇｅ  Ｂｏｏｋ（非特許文献３参照。）で新たに決められたインクリメンタル  ライトの二つの方法がある。ディスク  アット  ワンスは図３の３０に示すようにディスクに記録されているデータの構造がリードイン、ユーザデータ（トラック）、リードアウトとなっており、リードインからリードアウトまでのデータを途切れなく一気に記録する方法である。これに対しインクリメンタル  ライトにはさらに図３の３１に示すようにリードイン、各トラック、リードアウトを一つずつ順番に記録するトラック  アット  ワンスと、図３の３２に示すように各トラックをさらにパケットの単位で分割して一つずつ順番に記録するパケットライトがある。ディスク  アット  ワンスはプレス型のディスクとの完全互換性を確保したいときに使用され、トラック  アット  ワンスはいくつかのまとまったデータを一括して記録したいときに使用され、パケットライトはフロッピー（Ｒ）ディスクのような感覚で随時データの記録、削除をしたいときに使用される。
【０００３】
パケットライトではファイルシステムの論理フォーマットとしてＵＤＦ１．５（非特許文献４参照。）が採用されており、ＣＤ−ＲＯＭのファイルシステムであるＩＳＯ９６６０互換のファイルシステムを同時に組み込むことでＵＤＦをサポートしていない情報再生装置でも利用できるようにしたＩＳＯブリッジフォーマットを使用している場合もある。ＩＳＯ９６６０では、図４に示すように、ディスク上の全てのディレクトリの記録位置と各ディレクトリの親子関係を示すパステーブルを使って必要なデータを素早く読み取る仕組みが定められている。ＩＳＯブリッジフォーマットを利用することで、パケットライトで記録されたデータであっても、ＩＳＯ９６６０で管理されたデータについては、その記録位置を素早く知ることが可能である（例えば、非特許文献５参照。）。
【非特許文献１】Red Book、1981年フィリップスとソニーが発表したCD-DAの規格書
【非特許文献２】Yellow Book、1985年フィリップスとソニーが発表したCD-ROMの規格書
【非特許文献３】Orange Book、1989年フィリップスとソニーが発表したCD-WOの規格書
【非特許文献４】Universal Disk Format1.5、光ディスクに関する業界団体OSTAが策定した光ディスク用のファイルフォーマット、1.5は1997年にリリース
【非特許文献５】オレンジフォーラム著、"ＣＤ−Ｒ／ＲＷオフィシャルガイドブック"、（株）エクシード・プレス発行  1999年6月25日87〜119頁
【発明の開示】
【発明が解決しようとする課題】
【０００４】
これまでの情報媒体の記録方法、情報記録装置では、記録方法にパケットライトを使用すると図５に示すように一つのパケットはランインで始まりランアウトで終わるので、パケットとパケットの間には必ず記録されるピットが不連続になり、正常なデータとしては再生することのできないリンクブロックができる。こうしたパケットのつなぎ目にはランアウト、リンク、ランインというブロックが必ず順番に存在する。このつなぎ目は２ブロックのランアウト、１ブロックのリンクブロック、４ブロックのランインという合計７ブロックからなる。厳密にはリンクブロックの途中で二つのパケットが接続されており、残りのブロックはデータブロックを守るためのガードエリアとなっている。しかし、このガードエリアの長さは大変短いので、パケットライトの読み出しに対応したパソコン用ＣＤドライブでは、問題なく再生できるように設計されているが、パケットライトの読み出しに正式に対応していないパソコン用ＣＤドライブやＩＳＯ９６６０フォーマットで記録された圧縮オーディオファイルの再生機能を備えたＣＤプレーヤやＤＶＤプレーヤでは、リンクブロックで発生する不連続記録の影響で正常に再生できない不具合が発生した。例えばあるデータを再生するためには、そのデータが記録された位置の手前へシークしてからトラッキングサーボをかけ、読み出された信号に再生ＰＬＬを同期させて初めてデータ読み出しが可能になるので、このデータ読み出しの前段階で目的のデータが記録されたパケットの前にあるリンクブロックを通過すると再生ＰＬＬの同期が外れてしまったり、読み出しデータの同期信号が検出できなかったり、読み出しデータのアドレス情報が読めないあるいは連続性が失われたりすることで再生動作が失敗になる。またあるデータを再生しているときには、読み出したデータは一端再生用バッファに蓄えられており、バッファから必要なデータを読み出し終わるまでに目的のデータが記録されたパケットの後ろにあるリンクブロックを通過すると先の場合と同様に再生ＰＬＬの同期が外れるなどの影響で正常な再生動作が継続できなくなることがある。
【０００５】
本発明は、上記従来の問題点に鑑み、記録方法がパケットライトであるがＩＳＯブリッジフォーマットになっていて、ＩＳＯ９６６０ファイルシステムでも再生することを目的としている記録媒体に対し、パケットライトの再生に非対応の再生機器でも問題なく再生することのできる情報媒体の記録方法、情報記録装置及び情報媒体を提供することを目的としてなされたものである。
【課題を解決するための手段】
【０００６】
この課題を解決するために、本発明の請求項１に記載の発明は、データ領域が割り当てられたディスク状の情報媒体にパケット単位で情報を記録する方法であって、情報媒体に記録するパケットは複数のブロックの集合からなり、先頭からリンクブロック、ランインブロック、イン側パディングデータブロック、データブロック、アウト側パディングデータブロック、ランアウトブロックを連続して記録し、リンクブロックからその後方のデータブロックの先頭ブロックまでの間隔が一定のブロック数以上になる数だけイン側パディングデータブロックを複数ブロック記録し、データブロックの最後尾ブロックからその後方のリンクブロックまでの間隔が一定のブロック数以上になる数だけアウト側パディングデータブロックを複数ブロック記録することを特徴とする情報媒体の記録方法としたものであり、十分な長さのイン側パディングデータブロックにより、目的のデータが記録された位置の手前へシークしてからトラッキングサーボをかけ、読み出された信号に再生ＰＬＬを同期させてデータ読み出しが可能になるまでに目的のデータの前にあるリンクブロックを通過することもなく、また十分な長さのアウト側パディングデータブロックにより、再生用バッファに蓄えられた目的のデータを読み出し終わるまでに目的のデータの後ろにあるリンクブロックを通過することもないので、再生ＰＬＬが外れて再生失敗になることを回避することができるという作用を有する。
【０００７】
本発明の請求項２に記載の発明は、情報媒体に記録するパケットに含まれるパディングデータブロックはイン側パディングデータブロックのみでありアウト側パディングデータブロックは記録しないことを特徴とする請求項１記載の情報媒体の記録方法としたものであり、十分な長さのイン側パディングデータブロックにより、目的のデータが記録された位置の手前へシークしてからトラッキングサーボをかけ、読み出された信号に再生ＰＬＬを同期させてデータ読み出しが可能になるまでに目的のデータの前にあるリンクブロックを通過することがないので、再生ＰＬＬが外れて再生失敗になることを回避することができるという作用を有する。
【０００８】
本発明の請求項３に記載の発明は、データ領域が割り当てられたディスク状の情報媒体にパケット単位で情報を記録する装置であって、情報媒体に記録するパケットは複数のブロックの集合からなり、先頭からリンクブロック、ランインブロック、イン側パディングデータブロック、データブロック、アウト側パディングデータブロック、ランアウトブロックを連続して記録し、リンクブロックからその後方のデータブロックの先頭ブロックまでの間隔が一定のブロック数以上になる数だけイン側パディングデータブロックを複数ブロック記録し、データブロックの最後尾ブロックからその後方のリンクブロックまでの間隔が一定のブロック数以上になる数だけアウト側パディングデータブロックを複数ブロック記録することを特徴とする情報記録装置としたものであり、十分な長さのイン側パディングデータブロックにより、目的のデータが記録された位置の手前へシークしてからトラッキングサーボをかけ、読み出された信号に再生ＰＬＬを同期させてデータ読み出しが可能になるまでに目的のデータの前にあるリンクブロックを通過することもなく、また十分な長さのアウト側パディングデータブロックにより、再生用バッファに蓄えられた目的のデータを読み出し終わるまでに目的のデータの後ろにあるリンクブロックを通過することもないので、再生ＰＬＬが外れて再生失敗になることを回避することができるという作用を有する。
【０００９】
本発明の請求項４に記載の発明は、情報媒体に記録するパケットに含まれるパディングデータブロックはイン側パディングデータブロックのみでありアウト側パディングデータブロックは記録しないことを特徴とする請求項３記載の情報記録装置としたものであり、十分な長さのイン側パディングデータブロックにより、目的のデータが記録された位置の手前へシークしてからトラッキングサーボをかけ、読み出された信号に再生ＰＬＬを同期させてデータ読み出しが可能になるまでに目的のデータの前にあるリンクブロックを通過することがないので、再生ＰＬＬが外れて再生失敗になることを回避することができるという作用を有する。
【００１０】
本発明の請求項５に記載の発明は、請求項１または請求項２のいずれかに記載の記録方法により記録された情報媒体に関する。
【発明の効果】
【００１１】
以上のように本発明によれば、記録方法がパケットライトであるがＩＳＯブリッジフォーマットにすることにより、ＩＳＯ９６６０ファイルシステムでも再生することを目的としている場合に、十分な長さのイン側パディングデータブロックをランインブロックの直後に挿入して記録することにより、目的のデータが記録された位置の手前へシークしてからトラッキングサーボをかけ、読み出された信号に再生ＰＬＬを同期させてデータ読み出しが可能になるまでの間に、目的のデータの前にあるリンクブロックを通過することもなく、また十分な長さのアウト側パディングデータブロックをランアウトブロックの直前に挿入して記録することにより、再生用バッファに蓄えられた目的のデータを読み出し終わるまでの間に目的のデータの後ろにあるリンクブロックを通過することもないので、再生機器において再生ＰＬＬが外れてしまったり、読み出しデータの同期信号が検出できなかったり、読み出しデータのアドレス情報が読めないあるいは連続性が失われたりすることで再生動作が失敗になることを回避することができる。
【発明を実施するための最良の形態】
【００１２】
以下本発明の実施の形態について、図１と図２を用いて説明する。図１は、本発明の実施の形態における情報媒体の記録方法の構造図である。図１において、１は隣接するパケットが実際に接続されるブロックであるリンクブロック、２はパケットの最後尾に２ブロックの長さだけ付加されるランアウトブロック、３はパケットの先頭に４ブロックの長さだけ付加されるランインブロック、４はパケットのデータブロックとランアウトブロックの間に挿入されるアウト側パディングデータブロック、５はパケットのデータブロックとランインブロックの間に挿入されるイン側パディングデータブロック、６はｎ番目に記録されるパケットの中でＩＳＯブリッジフォーマットによりＩＳＯ９６６０データとして管理されるパケットｎのＩＳＯ９６６０データブロック、７はｎ＋１番目に記録されるパケットの中でＩＳＯブリッジフォーマットによりＩＳＯ９６６０データとして管理されるパケットｎ＋１のＩＳＯ９６６０データブロックである。ここではｎ番目とｎ＋１番目のパケットの境界部分だけを示したが、これらのブロックは全てのパケットに存在する。また図１には複数のパケットが記録されたセッション１個分を示しているが、実際の記録媒体では複数のセッションを連続して記録するマルチセッションの記録方式であっても良い。
【００１３】
続いて、図２は本発明の実施の形態における情報記録装置のブロック図である。１０は情報記録システムにおいて記録動作を行う部分である光ディスク記録装置、１１は光ディスク記録装置において記録するデータと装置の動作を管理する書き込み管理部、１２は書き込み管理部においてユーザーの操作指示を受け付けたり、装置の動作状況を表示したりするユーザーインターフェース部、１３は書き込み管理部において各処理部の動作を制御する制御部、１４は書き込み管理部において記録ドライブと制御データや記録データの通信を行うドライブインターフェース部、１５は書き込み管理部において記録媒体に書き込みを行うデータを生成する記録データ生成部、１６は光ディスク記録装置において内部でデータを記憶しておく内部記憶手段、１７は内部記憶手段において所定のデータを格納した内部データファイル、１８は光ディスク記録装置において外部の記録媒体にデータを書き込むための光ディスク記録ドライブ部、１９は情報記録システム記録装置がデータを書き込む媒体である光ディスク記録媒体、２０は光ディスク記録媒体に記録された記録後データファイル、２１は情報記録システムにおいて記録装置の動作を指示する動作指示手段を構成している。
【００１４】
具体的には、書き込み管理部１１はＣＰＵ（Ｃｅｎｔｒａｌ  Ｐｒｏｃｅｓｓｉｎｇ  Ｕｎｉｔ）などを有している。また、内部記憶手段１６はＨＤ（Ｈａｒｄ  Ｄｉｓｋ）などを有している。また、光ディスク記録ドライブ部１８は、ＣＤ−Ｒ／−ＲＷ、ＤＶＤ−ＲＡＭ／−Ｒ／−ＲＷ／＋Ｒ／＋ＲＷドライブなどを有している。
【００１５】
次に、本実施の形態の情報媒体の記録方法について説明する。まず光ディスク記録媒体１９はＣＤ−Ｒディスクであるとする。この場合光ディスク記録媒体１９に記録するデータの最小単位であるブロックのサイズは２ＫＢである。パケット単位で情報を記録する方法であるが、パケットライトの読み出しに正式に対応していないパソコン用ＣＤドライブやＩＳＯ９６６０フォーマットで記録された圧縮オーディオファイルの再生機能を備えたＣＤプレーヤやＤＶＤプレーヤで再生することが目的であるので、一つの記録後データファイルは複数のパケットに分断されてはならない。つまり複数のパケットに分割して記録したファイルはパケットライトの読み出しに対応した機器でしか再生できない。そのため固定長パケット記録方式は使用することができず、可変長パケット記録方式を使用することとなる。ただし、複数のファイルが一つのパケットに含まれて記録されても構わない。パケットを光ディスク記録媒体１９に記録するときにはパケット１、パケット２、パケット３と順番に隙間のないように連続して記録する。例えば図１に示すように、パケットｎに続いてパケットｎ＋１を記録するときは、次のように記録する。ＩＳＯブリッジフォーマットによりＩＳＯ９６６０データとして管理されるパケットｎのＩＳＯ９６６０データブロック６（可変長）、本実施例の特徴であり、データブロックの最後尾ブロックからその後方のリンクブロックまでの間隔が後述の理由により一定のブロック数以上になる数だけ挿入するアウト側パディングデータブロック４、最後尾のランアウトブロック２（２ブロック長）に続いて、パケットｎ＋１の先頭ブロックであるリンクブロック１、ランインブロック３（４ブロック長）、本実施例の特徴でありリンクブロック１からその後方のデータブロックの先頭ブロックまでの間隔が後述の理由により一定のブロック数以上になる数だけ挿入するイン側パディングデータブロック５、ＩＳＯブリッジフォーマットによりＩＳＯ９６６０データとして管理されるパケットｎ＋１のＩＳＯ９６６０データブロック７、そしてパケットｎと同様にアウト側パディングデータブロック、ランアウトブロックまでを記録する。
【００１６】
ＣＤプレーヤでデータファイルを再生する場合、目的のデータファイルが記録されたトラック位置の手前にシークを行うが、ディスク状の情報媒体では周状にピットデータが記録されているので、本数にして１本あるいは２本手前である場合が多く、１周分の間に記録されるブロックの数が多くなる最外周の場合では約４５ブロックに相当する。そのためパケットｎのＩＳＯ９６６０データブロック６からその後方のリンクブロック１までの間隔が４５ブロックよりも十分に大きくなる長さだけイン側パディングデータブロック５を挿入すれば良い。
【００１７】
またＣＤプレーヤでデータファイルを再生する場合、耐震用のバッファを備え、バッファにデータを蓄積するときには１倍速よりも十分に早い速度でデータを読み出す。例えば６倍速再生であると７５ブロック／ＳＥＣの６倍である４５０ブロック／ＳＥＣの読み出し速度になる。そしてＣＤプレーヤのマイコンが読み出したデータのサブコードをチェックする間隔が１００ｍＳＥＣであるとすると、次のサブコードをチェックするまでの間に４５ブロックのデータが読み出されていることになる。つまり目的のデータを全部読み終わってから、そのことを認識してディスクからの読み出し処理を停止するまでに４５ブロック余分に再生動作を継続することになる。この間にリンクブロックが存在しないようにするためにはパケットｎのＩＳＯ９６６０データブロック６からリンクブロック１までの間隔が４５ブロック数よりも十分に大きくなる長さだけアウト側パディングデータブロック４を挿入すれば良い。
【００１８】
次に、本実施の形態の情報媒体を記録する情報記録装置の動作は次のようになる。光ディスク記録装置１０は、書き込み管理部１１においてユーザーの操作指示を受け付けるユーザーインターフェース部１２を通して、記録装置の動作を指示する動作指示手段２１により、内部記憶手段１６に格納された内部データファイル１７の一部のデータファイルを一つのパケットとして光ディスク記録媒体１９に記録するように指示を受ける。各処理部の動作を制御する制御部１３は、記録媒体に書き込みを行うデータを生成する記録データ生成部１５により、リンクブロック（１ブロック長）、ランインブロック（４ブロック長）、イン側パディングデータブロック５（４５ブロック長以上）、内部データファイル１７から読み出したデータブロック（必要なブロック長）、アウト側パディングデータブロック（４５ブロック長以上）、ランアウトブロック（２ブロック長）を順番に接続したパケットｎ＋１を生成するように制御する。続いて制御部１３は、ドライブインターフェース部１４を通して光ディスク記録ドライブ部１８にパケットｎ＋１を記録するための制御データと記録データであるパケットを送るように制御する。光ディスク記録ドライブ部１８は光ディスク記録媒体１９に既に記録されたパケットｎに続けてパケットｎ＋１を記録して記録後データファイル２０を完成させる。こうして情報媒体の記録方法で決めた通りの方法でパケットｎ＋１を記録することができる。
【００１９】
次に、本実施の形態の情報媒体について説明する。上述した記録方法によりパケットデータを記録することにより本実施の形態の情報媒体は作成することができる。
【００２０】
以上のように本実施の形態によれば、記録方法がパケットライトであるがＩＳＯブリッジフォーマットにすることにより、ＩＳＯ９６６０ファイルシステムでも再生することを目的としている場合に、十分な長さのイン側パディングデータブロックをランインブロックの直後に挿入して記録することにより、目的のデータが記録された位置の手前へシークしてからトラッキングサーボをかけ、読み出された信号に再生ＰＬＬを同期させてデータ読み出しが可能になるまでの間に、目的のデータの前にあるリンクブロックを通過することもなく、また十分な長さのアウト側パディングデータブロックをランアウトブロックの直前に挿入して記録することにより、再生用バッファに蓄えられた目的のデータを読み出し終わるまでの間に目的のデータの後ろにあるリンクブロックを通過することもないので、再生機器において再生ＰＬＬが外れてしまったり、読み出しデータの同期信号が検出できなかったり、読み出しデータのアドレス情報が読めないあるいは連続性が失われたりすることで再生動作が失敗になることを回避することができることとなる。
【００２１】
以上においては、本実施の形態について詳細に説明を行った。なお、上述した実施の形態の書き込み管理部１１は、ＣＰＵ等の純然たるハードウェアに限らず、ファームウェアや、ＯＳ、さらに周辺機器を含むものであっても良い。なお、本発明の構成は、ソフトウェア的に実現しても良いし、ハードウェア的に実現しても良い。
【００２２】
また以上においてはイン側パディングデータとアウト側パディングデータの両方を記録する形態について説明を行ったが、再生用バッファに蓄えられた目的のデータを読み出し終わるまでの間に目的のデータの後ろにあるリンクブロックを通過して、再生エラーを発生させたとしても既に再生用バッファに蓄えられているデータについては、これらを全て再生するように動作する再生機器に対してはアウト側パディングデータが挿入されていなくても、それなりに再生動作を継続できることが期待できるので、情報媒体に記録するパケットに含まれるアウト側パディングデータブロックのサイズは０である構成であっても良い。
【００２３】
また上述したパディングデータブロックに記録されるデータは、０データであっても良いし、他の固定値データであっても良いし、ＵＤＦファイルシステムのみで利用されるデータであっても良い。つまりＩＳＯ９６６０ファイルシステムで読み出す必要のないデータであれば何でも良い。
【図面の簡単な説明】
【００２４】
【図１】本発明の実施の形態１における情報媒体の記録方法の構造図
【図２】本発明の実施の形態１における情報記録装置のブロック図
【図３】従来の技術における記録方法の説明図
【図４】従来の技術におけるＩＳＯ９６６０フォーマットの説明図
【図５】従来の技術におけるパケットライトによる記録方法の構造図
【符号の説明】
【００２５】
１    リンクブロック
２    ランアウトブロック
３    ランインブロック
４    アウト側パディングデータブロック
５    イン側パディングデータブロック
６    パケットｎのＩＳＯ９６６０データブロック
７    パケットｎ＋１のＩＳＯ９６６０データブロック
１０    光ディスク記録装置
１１    書き込み管理部
１２    ユーザーインターフェース部
１３    制御部
１４    ドライブインターフェース部
１５    記録データ生成部
１６    内部記憶手段
１７    内部データファイル
１８    光ディスク記録ドライブ部
１９    光ディスク記録媒体
２０    記録後データファイル
２１    動作指示手段
【図１】
2005038554.tif 000003
【図２】
2005038554.tif 000004
【図３】
2005038554.tif 000005
【図４】
2005038554.tif 000006
【図５】
2005038554.tif 000007